(57)【要約】【課題】排藁チェンの始端側に搬送体を上下動させる揚上装置を設け、搬送状態と拡張状態に切替える移動を正確に行うとともに、垂直方向に上動させるハンドル部の回動操作を行い易くした排藁搬送装置の提供である。【解決手段】フィードチェンの終端部から排稈を受継ぎ斜搬送する搬送体の始端側を上下動させた排藁搬送装置において、搬送体Ａの揚上装置Ｃを後部フレーム２５に装着し、作動レバー１を機体の側方に延設して排藁チェン３よりも上方で回動操作を行い、一体化したカム体７の回転で前記作動レバー１と、連結した搬送体Ａを直接上下動する構成にするとともに、搬送状態のハンドル部２を扱室カバー１１で押圧するロック機構を兼備した排藁搬送装置である。【特許請求の範囲】
【請求項１】
脱穀部の上面に扱室カバーと排藁カバーを個別に設け、扱胴に並設したフィードチェンの終端部から機体後方に斜搬送する搬送体を連設し、前記搬送体を上下動可能の構成にした排藁搬送装置において、作動レバー（１）を機体の側方に延設して排藁チェン（３）よりも上方で前記作動レバー（１）を回動操作する構成にしたことを特徴とするコンバインの排藁搬送装置。
【請求項２】
搬送体（Ａ）を吊設する揚上軸（６）にカム体（７）を固着した作動レバー（１）を回動自在に嵌挿させ、後部フレーム（２５）に連設した基盤（８）上に前記カム体（７）を載置し、ハンドル部（２）の回動操作で前記搬送体（Ａ）を上下動させたことを特徴とする請求項１に記載したコンバインの排藁搬送装置。
【請求項３】
作動レバー（１）に固着した掛金（１０）がフック（１２）に係止するロック状態で、ハンドル部（２）に扱室カバー（１１）が接当する構成にしたことを特徴とする請求項２に記載したコンバインの排藁搬送装置。
【発明の詳細な説明】
【０００１】
【発明の属する技術分野】
本発明は、脱粒後の排稈をフィードチェンから排藁チェンに受継がせ、機体後方に排出する搬送体の始端側を上下動させるコンバインの排藁搬送装置に関するものである。
【０００２】
【従来の技術】
従来、フィードチェンに連設して斜搬送する排藁チェンの受継ぎでは、搬送方向が屈折することから詰まりや稈抜けが発生し易くなり、整備点検をするために排藁室の床面に弾持した排藁ガイド棒に対して、排藁カバーとともに搬送体を回動させて排稈を挟持する搬送状態と、詰り稈の除去や整備を行う拡張状態に変換した公知技術が実開昭５８−１４３５４０号公報に記載され、穀稈を挟扼する反力をカバーで直接受止める構成にしてある。又、脱穀枠から後方に延設したフレームで排藁搬送装置を支持し、後端を穂部フレームと連結して回動支点を形成して排藁チェンが下動した搬送状態と、拡張状態の位置を上下にロックピンを設けて固定したものが特開平１０−９８９３６号公報に開示されているが、ロックレバーの回動操作と上下動が連動しない支持構造であって、受継ぎ側が昇降する案内装置が掛金やカバーの開閉で行なわれることから、搬送状態で排藁チェンの位置ずれが生じ易く、しかも、重量のある搬送体を手動で持ち上げる昇降装置である。
【０００３】
【発明が解決しようとする課題】
排藁チェンを上下動させる従来技術は、受継ぎ部の反対側をカバーの回動支点にして搬送体が連動するもので、開閉の操作労力を要するとともに排藁チェンの中央に排藁ガイド棒を設置することが難しく、位置ずれを生じてチェンプレートの内面に前記ガイド棒が圧接されて、磨耗が進行したり搬送中にはみ出して排稈の詰りが生じる等の問題点がある。
【０００４】
このような問題点を解決するために、排藁チェンの始端側を上下動する揚上装置を設け、位置ずれを規制して搬送体の上下動を正確に誘導するとともに機体の外側で作動レバーを回動させ、カム機構を介して搬送体の拡挟を簡素化した構造にし、整備点検が行い易い排藁搬送装置の提供を目的とするものである。
【０００５】
【課題を解決するための手段】
排藁チェンの始端側を上下動させる揚上装置を後部フレームから吊設し、ハンドルの回動操作をする労力を軽減するとともに挟扼ガイドに係合する排藁チェンを正しく誘導させた排藁搬送装置にしたものである。
【０００６】
搬送体の始端側を上下動可能な構成にした排藁搬送装置において、作動レバーを機体の側方に延設して排藁チェンよりも上方で前記作動レバーを回動操作する構成にし、詰りを生じた挟扼稈とハンドル部が干渉しない方向に操作する手段を講じた。
【０００７】
搬送体を吊設する揚上軸にカム体を固着した作動レバーを回動自在に嵌挿させ、後部フレームに連設する基盤上に前記カム体を載置し、ハンドル部の回動操作で前記搬送体を上下動させる簡素化したカム機構にした。
【０００８】
作動レバーに固着した掛金がフックに係止するロック状態で、ハンドル部に扱室カバーが接当する構成にして、ロック機構の作動を確実にした。
【０００９】
【発明実施の形態】
【実施例】
本発明による排藁チェンを上下動させる排藁搬送装置について、図６のコンバインに搭載した脱穀部の後方側面図と、図７に示す平面図の実施例図で説明すると、扱室１８に扱歯１６を植設した扱胴１７を回転自在に装架し、並設したフィードチェン２０で刈取穀稈を搬送しながら脱粒処理をするものであって、脱粒後の排稈を斜搬送する排藁チェン３と穂先側に設けた搬送ベルト２１で搬送体Ａを形成し、始端側で前記フィードチェン２０から受継ぎ機体後方に装着したカッター部２２に供給する排藁搬送装置にしたものである。このような搬送装置の構成は、扱室１８の後壁２３に後部フレーム２５を連結して排藁室２６の上方に逆コの字型に配置させ、終端に立設する門形フレーム２７に螺着したフレーム構造で前記排藁室２６を形成したものである。
【００１０】
図５は搬送体の後方支点を示す平面図であって、門形フレーム２７から搬送体Ａの後方を吊設した支持構造を説明すると、搬送ベルト２１と排藁チェン３が各々巻回するベルトケース２８と、チェン台３０の後方を支軸３１で平行に連結し、前記門形フレーム２７から垂設したメタル３２て回動自在に支持して後方支点Ｐ−Ｐを形設した支持構造にしてある。一方、前記搬送体Ａが搬送状態と拡張状態に拡挟する始端側の取付けも後方支点Ｐ−Ｐと同様に回動する揚上軸６で昇降可能に装着され、カム体７を連結して始端側が上下動する揚上装置Ｃにしてあって、固定された後部フレーム２５の前後で前記搬送体Ａを吊設し、始端側を可動させた排藁搬送装置にしたものである。
【００１１】
このような排藁搬送装置の下方に形成する選別部の概要を図６の側面図で説明すると、チャフシーブ７１を連設した揺動選別体７２を駆動カム７４の回転で揺動運動をさせ、脱粒した扱卸物を篩選別しながら後方に移送し、矢印ニの方向に吹き上がる選別風によって塵埃を分離し、機体後端に設けたファン７３に吸引させて吐出口７５から機外に放出する構成にしてある。尚、７６は挟扼ガイド５７を前後方向で弾持するバネ受けである。
【００１２】
搬送体の駆動構造を図７の脱穀部後方を示す平面図と、図１の上下動する搬送体の平面図で説明すると、排藁チェン３の駆動を扱胴１７の軸端に設けた駆動プーリ３３から出力し、揚上装置Ｃと連結するべベルケース３５に設けた従動プーリ３６に入力して前記排藁チェン３の作用側が後方に移動する回転を付与し、挟扼ガイド５７と穂部ガイド６７を前後に並設して排稈の穂部側と、稈元側を挟扼しながら斜搬送するものである。又、非作用側の排藁チェン３に噛合させたスプロケット３７によって、連結ケース３８を介して対向する搬送ベルト２１の始端側に再入力させ、前記排藁チェン３と同方向に回転する搬送体Ａを形成した排藁搬送装置である。
【００１３】
図２の上下動する搬送体の側面図と図１に示す平面図を併用して揚上装置の構造を説明すると、従動プーリ３６を設けたべベルケース３５の上面に連結台座１３を螺着して内側を下方に屈曲させ、逆Ｔ字形をした揚上軸６の回動基部４０を挟持幅にする支持枠４１をこの屈曲面に溶着して一体化させ、排藁チェン３に対して直角方向に前記回動基部４０を配置し、両軸端を拡幅した前記挟持幅にするとともに揚上軸６が昇降する摺動ボス４５の嵌入長さを延長した支持構造にし、昇降時に発生する位置ずれや横振れの現象を誘導長さで防止し、挟扼ガイド５７に対して前記排藁チェン３が定位置に下動する構成にしたものである。
【００１４】
このように揚上軸６が昇降する上部の構造は、固定した後部フレーム２５から複列のアーム４３を垂設して摺動ボス４５を挟持させ、その中央に前記揚上軸６が嵌入する軸孔４６を穿孔してあり、これを回避するように基盤８を前記アーム４３の上面に固着して後部フレーム２５と一体化し、作動レバー１に設けた掛金１０に対向する折曲げ面４７を形成してフック１２が突設した基盤８の側面形状にするとともに、上面にカム体７の外周面が接当するように作動レバー１が配置され、搬送状態で前記掛金１０が係合して揚上装置Ｃを固定するロック機構にしたものである。又、揚上軸６の昇降で前記摺動ボス４５には微動の回動が発生するために、前述する基盤８と摺動ボス４５との間には隙間を設けて回動による干渉を防止した構成にしてある。
【００１５】
図３は作動レバーと揚上装置の要部側面図であって、図４の分解図を併用して上下動させる構造を説明すると、アーム４３で挟持した摺動ボス４５の上面に重合するように揚上軸６の上方にホルダー４８を嵌着し、固定ボルト５０を軸端に設けて前記ホルダー４８と揚上軸６を連結して、挿入孔５１を軸孔４６に対して交叉する方向に貫通させ、これを偏心位置Ｘにしたカム体７と掛金１０を固着した作動レバー１を嵌挿し、扱胴１７と直交する方向に配設して軸端に止め輪等を用いた抜け止めを設け、前記基盤８の定位置にカム体７の外周面が接当してハンドル部２の回動操作にともない前記作動レバー１が基盤８から離反する上動をさせた揚上装置Ｃである。このようなカム機構は手動操作に比べ昇降する労力が軽減でき、しかも、ロッド等を使用しない簡素化した構造になった。又、図示するように前記作動レバー１が扱室カバー１１側に傾倒した位置でフック１２に掛金１０が係合した搬送状態を保持するロック機構を兼備したものである。
【００１６】
搬送体Ａの昇降手順を説明すると、先ずハンドル部２の先端を押圧している扱室カバー１１を開口し、作動レバー１が前方に傾倒したロック位置から、半円の回動軌跡５の回転を開始すると掛金１０がフック１２から離脱してロックが解除され、カム体７の偏心位置Ｘが垂直の上昇移動に変化して、ホルダー４８が基盤８から離反しながら前記作動レバー１とともに図２に示す鎖線位置の拡張状態に排藁チェン３を引揚げる。このような上昇移動は、一体化した揚上軸６が移動距離Ｈだけ後方支点Ｐ−Ｐを中心に搬送体Ａを上動させ、挟扼ガイド５７から前記排藁チェン３の始端側が上昇した拡張状態になって挟扼力が失効し、詰り穀稈の取出しを容易にしたものである。尚、６０はカム体７が半回転して基盤８の上面に接当するストッパー面であって、前記作動レバー１の上昇位置を維持するカム形状にしたものである。
【００１７】
図８は、揚上装置と扱室カバーの要部側面図であって、図９の断面図を併用して作動レバーのロック装置を説明すると、扱室１８よりも後方に扱室カバー１１を延設して同形状の排藁カバー６８を連設した分割構造のカバーにしてあり、作動レバー１を図示するように前方に傾倒した搬送状態において、ハンドル部２の先端が扱室カバー１１の後方に侵入した配置にし、これに接触する当て板６１を前記扱室カバー１１の裏面側に設け、接触面に弾性を有するパット材６２を接着して前記ハンドル部２の先端を押圧するようにしたロック機構である。このように開閉する前記扱室カバー１１は、機体の右側に設けたカバー受け６３で装着して矢印ハの方向に藁押え台７０と一体に開口させ、左側をノブボルト６５で固着する開閉構造にしたものである。
【００１８】
排藁チェン３の始端側で発生する詰り穀稈は広範囲になって扱室１８の後方に波及することから、揚上装置Ｃの操作を行う場合は扱室カバー１１の開口をともない、ハンドル部２を半円の回動軌跡５の方向に回転させて搬送体Ａを拡張状態に上動させ、開放した空間から詰り穀稈を除去した後に前記ハンドル部２を逆回転して搬送状態に戻す回動操作をするが、フック１２に掛金１０の嵌着が不完全であると作業中に離脱し易く、前記揚上装置Ｃが挟扼稈で押上げられて挟扼力が減衰し、搬送障害を招くようになる。このような操作誤りを防止するために、下降の途中で停止している前記ハンドル部２を扱室カバー１１の閉側への操作で当て板６１に接当させて押し下げ、不完全ロックを自動的に防止したロック機構にしてある。
【００１９】
【発明の効果】
排藁チェンの始端側で搬送体を上下動させる揚上装置を設け、搬送状態と拡張状態に切替える前記揚上装置の構造を簡素化するとともに、ハンドルの回動操作を行い易くした排藁搬送装置にしたので以下に掲げるような効果を発揮するものである。
【００２０】
作動レバーを機体の側方に延設して排藁チェンよりも上方で前記作動レバーを回動操作する構成にしたので、詰りを生じた挟扼稈とハンドル部が干渉しない操作方向になり、しかも、機体の外側からハンドルの回動操作が容易に行え、搬送状態と拡張状態の切替えを円滑に実施できるようになった。
【００２１】
搬送体を吊設する揚上軸にカム体を固着した作動レバーを回動自在に嵌挿させ、後部フレームに連設する基盤上に前記カム体を載置し、ハンドル部の回動操作で前記搬送体を上下動させたので、搬送体の昇降にカム機構を用いて上動させる回動操作の労力を軽減するとともに、ロット等のリンク装置が省略され簡素化した前記カム機構になった。
【００２２】
作動レバーに固着した掛金がフックに係止したロック状態で、ハンドル部に扱室カバーが接当する構成にしたので、カム機構を介したハンドル部先端の押圧力が軽荷重になり、ロック状態を一層強固に保持することができた。
【図面の簡単な説明】
【図１】搬送体が上下動する構造を示す平面図である。
【図２】搬送体が上下動する構造を示す側面図である。
【図３】揚上装置の要部側面図である。
【図４】揚上装置の分解図である。
【図５】搬送体の後方支点を示す平面図である。
【図６】コンバインに搭載した脱穀部後方の側面図である。
【図７】コンバインに搭載した脱穀部後方の平面図である。
【図８】揚上装置と扱室カバーの要部側面図である。
【図９】揚上装置と扱室カバーの要部正面図である。
【符号の説明】
Ａ・・搬送体　　　　　Ｃ・・揚上装置　　　Ｐ−Ｐ・・後方支点
Ｘ・・偏心位置　　　　Ｈ・・偏心位置の移動距離
１・・作動レバー　　　２・・ハンドル部　　　　３・・排藁チェン
５・・半円の回動軌跡　６・・揚上軸　　　　　　７・・カム体
８・・基盤　　　　　１０・・掛金　　　　　　１１・・扱室カバー
１２・・フック　　　　１３・・連結台座　　　　１８・・扱室
２１・・搬送ベルト　　２３・・後壁　　　　　　２５・・後部フレーム
３０・・ベルトケース　３１・・支軸　　　　　　３２・・メタル
３５・・べベルケース　３８・・連結ケース　　　４０・・回動基部
４１・・支持枠　　　　４３・・アーム　　　　　４５・・摺動ボス
４６・・軸孔　　　　　４７・・折曲げ面　　　　４８・・ホルダー
５０・・固定ボルト　　５１・・挿入孔　　　　　５７・・挟扼ガイド
６０・・ストッパー面　６１・・当て板　　　　　６２・・パット材
６３・・カバー受け　　６５・・ノブボルト　　　６７・・穂部ガイド
６８・・排藁カバー
矢印（イ）・・揚上軸の上動方向
矢印（ロ）・・摺動ボスに対して組立てる方向
矢印（ハ）・・扱室カバーの開閉方向
【図１】
2004016140.tif 000002
【図２】
2004016140.tif 000003
【図３】
2004016140.tif 000004
【図４】
2004016140.tif 000005
【図５】
2004016140.tif 000006
【図６】
2004016140.tif 000007
【図７】
2004016140.tif 000008
【図８】
2004016140.tif 000009
【図９】
2004016140.tif 000010